【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
複数の候補カテゴリのそれぞれについて算出された複数のカテゴリ優先度に基づいて、ユーザに推薦される推薦カテゴリを前記複数の候補カテゴリの中から選択するカテゴリ選択部を備え、
前記複数のカテゴリ優先度の各々は、各候補カテゴリに属するアイテムの個数が多いほど高い値となるとともに、基準となる情報と各候補カテゴリに属する各アイテムとの関連性の強さを示す第１の関連度が高いほど高い値となるように算出される、
情報選択装置。
【請求項２】
前記複数のカテゴリ優先度の各々は、各候補カテゴリに属するアイテムの個数が多いほど高い値となるとともに、前記第１の関連度が高いほど高い値となり、かつ前記基準となる情報と各候補カテゴリとの関連性の強さを示す第２の関連度が高いほど高い値となるように算出される、
請求項１に記載の情報選択装置。
【請求項３】
前記複数のカテゴリ優先度の各々は、前記第１の関連度と前記第２の関連度との積を各候補カテゴリに属するアイテムの個数に応じた数だけ加算した値、または、前記第１の関連度を各候補カテゴリに属するアイテムの個数に応じた数だけ加算した値と前記第２の関連度との重み付き加算値である、
請求項２に記載の情報選択装置。
【請求項４】
前記複数のカテゴリ優先度の各々は、
（ａ）前記第１の関連度を用いた値を基数とし第１の所定値を指数とする累乗値と、前記第２の関連度を用いた値を基数とし第２の所定値を指数とする累乗値との乗算値、
（ｂ）前記第１の関連度を用いた値と前記第２の関連度を用いた値との重み付き加算値、
のいずれかを用いて算出される、
請求項２に記載の情報選択装置。
【請求項５】
前記第２の関連度は、前記基準となる情報に対応する基準カテゴリと各候補カテゴリとの関連性の強さを示すカテゴリ関連度を用いて算出される、
請求項２〜請求項４のいずれか１項に記載の情報選択装置。
【請求項６】
前記複数のカテゴリ優先度の各々は、前記第２の関連度を所定の変換規則に入力して得られる拡張関連度の関数として算出される、
請求項２に記載の情報選択装置。
【請求項７】
前記変換規則は、入力値の増加に応じて出力値が減少する区間を有する変換関数である、
請求項６に記載の情報選択装置。
【請求項８】
前記複数のカテゴリ優先度の各々は、
（ａ）前記第１の関連度を用いた値を基数とし第３の所定値を指数とする累乗値と、前記拡張関連度を用いた値を基数とし第４の所定値を指数とする累乗値との乗算値、
（ｂ）前記第１の関連度を用いた値と前記拡張関連度を用いた値との重み付き加算値、
のいずれかを用いて算出される、
請求項６又は請求項７に記載の情報選択装置。
【請求項９】
前記カテゴリ選択部は、
前記複数の候補カテゴリのそれぞれについて、前記第１の関連度が第５の所定値以上であるアイテム群を上位アイテム集合として選択し、
前記上位アイテム集合に含まれる複数のアイテムと前記基準となる情報との複数の第１の関連度を用いた値の合計値を算出し、
前記合計値を用いて前記カテゴリ優先度を算出する、
請求項１〜請求項８のいずれか１項に記載の情報選択装置。
【請求項１０】
前記カテゴリ選択部は、前記複数の候補カテゴリのそれぞれについて、前記第１の関連度が第６の所定値以上であるアイテムの数を用いて前記カテゴリ優先度を算出する、
請求項１〜請求項９のいずれか１項に記載の情報選択装置。
【請求項１１】
前記推薦カテゴリに関する情報を示す表示画面を出力するための表示制御情報を作成する制御情報作成部をさらに備え、
前記カテゴリ選択部は、推薦カテゴリとして複数のカテゴリを選択し、
前記表示画面は、前記複数の推薦カテゴリのそれぞれに対応する複数の表示オブジェクトを含み、
前記表示画面内における各表示オブジェクトの表示状態は、各表示オブジェクトが表している推薦カテゴリのカテゴリ優先度の高さに応じて決定される、
請求項１〜請求項１０のいずれか１項に記載の情報選択装置。
【請求項１２】
前記変換規則の特性の調整を受け付ける表示画面を出力するための表示制御情報を作成する制御情報作成部をさらに備える、
請求項６〜請求項８のいずれか１項に記載の情報選択装置。
【請求項１３】
前記第１の関連度に基づいて、前記推薦カテゴリに属するアイテムの中から推薦アイテムを選択するアイテム選択部をさらに備える、
請求項１〜請求項１２のいずれか１項に記載の情報選択装置。
【請求項１４】
前記アイテム選択部は、前記カテゴリ優先度に応じて、前記推薦アイテムの選択条件を設定する、
請求項１３に記載の情報選択装置。
【請求項１５】
請求項１２に記載の情報選択装置から受信した前記表示制御情報に基づいて前記表示画面を表示部に出力するよう動作し、前記変換規則の特性を調整するための情報を前記情報選択装置に送信するよう動作する処理部を備える端末装置。
【請求項１６】
複数の推薦カテゴリ、及び前記推薦カテゴリそれぞれの優先度を示す複数のカテゴリ優先度を受信する受信部と、
前記推薦カテゴリに関する情報を示す表示画面を出力するための表示制御情報を作成する制御情報作成部を備え、
前記複数のカテゴリ優先度の各々は、各推薦カテゴリに属するアイテムの個数が多いほど高い値となるとともに、基準となる情報と各推薦カテゴリに属する各アイテムとの関連性の強さを示す第１の関連度が高いほど高い値となるように算出されており、
前記表示画面は、前記複数の推薦カテゴリのそれぞれに対応する複数の表示オブジェクトを含み、
前記表示画面内における各表示オブジェクトの表示状態は、各表示オブジェクトが表している推薦カテゴリの前記カテゴリ優先度の高さに応じて決定される、
端末装置。
【請求項１７】
複数の候補カテゴリのそれぞれについて算出された複数のカテゴリ優先度に基づいて、
ユーザに推薦される推薦カテゴリを前記複数の候補カテゴリの中から選択するカテゴリ選択ステップを備え、
前記複数のカテゴリ優先度の各々は、各候補カテゴリに属するアイテムの個数が多いほど高い値となるとともに、基準となる情報と各候補カテゴリに属する各アイテムとの関連性の強さを示す第１の関連度が高いほど高い値となるように算出される、
情報選択方法。
【請求項１８】
請求項１２に記載の情報選択装置から受信した前記表示制御情報に基づいて前記表示画面を表示部に出力し、前記変換規則の特性を調整するための情報を前記情報選択装置に送信する処理ステップを有する情報選択方法。
【請求項１９】
複数の推薦カテゴリ、及び前記推薦カテゴリそれぞれの優先度を示す複数のカテゴリ優先度を受信する受信ステップと、
前記推薦カテゴリに関する情報を示す表示画面を出力するための表示制御情報を作成する制御情報作成ステップを備え、
前記複数のカテゴリ優先度の各々は、各推薦カテゴリに属するアイテムの個数が多いほど高い値となるとともに、基準となる情報と各推薦カテゴリに属する各アイテムとの関連性の強さを示す第１の関連度が高いほど高い値となるように算出されており、
前記表示画面は、前記複数の推薦カテゴリのそれぞれに対応する複数の表示オブジェクトを含み、
前記表示画面内における各表示オブジェクトの表示状態は、各表示オブジェクトが表している推薦カテゴリの前記カテゴリ優先度の高さに応じて決定される、
情報選択方法。
【請求項２０】
請求項１７〜請求項１９のいずれか１項に記載の情報選択方法をコンピュータに行わせるためのコンピュータプログラム。